(57)【要約】【課題】出荷・輸送時などにおいて、フレームが変形することを抑制でき、ひいては、帯電器の変形を抑制できる感光体カートリッジ、その感光体カートリッジを備えるプロセスカートリッジおよび画像形成装置を提供すること。【解決手段】ドラムカートリッジ１８に、ドラムフレーム４５と、感光ドラム２０と、放電ワイヤ２３を有するスコロトロン型帯電器２２と、ハンドル６５とを備える。ドラムフレーム４５に、放電ワイヤ２３に向けて貫通する帯電開口部５６を形成し、ハンドル６５に、ドラムフレーム４５に支持される軸部６６と、挿入部７１が設けられる把持部分６９とを設ける。そして、ハンドル６５を、挿入部７１が帯電開口部５６内に挿入される傾倒位置と、挿入部７１が帯電開口部５６から離脱される起立位置とに、軸部６６がドラムフレーム４５に支持された状態において移動するように構成する。【選択図】図２
2014157341.tif 000002
【特許請求の範囲】
【請求項１】
フレームと、
軸線を回転中心として回転するように構成される感光体と、
前記感光体の表面を帯電するように構成される放電ワイヤを有し、前記感光体の表面と対向するように前記フレームに支持される帯電器と、
前記フレームに支持される第１端部と、前記第１端部とは反対側に位置し、前記第１端部に対して移動可能に構成される第２端部とを有する移動部材と、を備え、
前記フレームは、
前記放電ワイヤに対する前記感光体の反対側に、前記放電ワイヤに向けて貫通する開口部を有し、
前記移動部材は、
前記第２端部に、前記開口部に挿入されるように構成される挿入部を有し、
前記挿入部が前記開口部内に挿入される第１位置と、前記挿入部が前記開口部から離脱される第２位置とに、前記第１端部が前記フレームに支持された状態において移動するように構成されていることを特徴とする、感光体カートリッジ。
【請求項２】
前記移動部材は、開口を有し、弾性変形可能に構成されていることを特徴とする、請求項１に記載の感光体カートリッジ。
【請求項３】
前記挿入部は、
前記移動部材が前記第１位置に配置された状態において、前記軸線方向における前記開口部の長さと略等しくなるように形成されていることを特徴とする、請求項１または２に記載の感光体カートリッジ。
【請求項４】
前記放電ワイヤに沿って移動することにより、前記放電ワイヤをクリーニングするクリーニング部材を備え、
前記挿入部は、
前記移動部材が前記第１位置に配置されたときに、前記クリーニング部材に接触し、前記クリーニング部材の前記放電ワイヤに沿う移動を規制することを特徴とする請求項１〜３のいずれか一項に記載の感光体カートリッジ。
【請求項５】
前記移動部材は、
前記感光体カートリッジが操作されるときに把持される把持部の少なくとも一部を構成することを特徴とする、請求項１〜４のいずれか一項に記載の感光体カートリッジ。
【請求項６】
前記フレームは、
前記軸線の延びる軸線方向と直交する直交方向に延びるように形成され、
前記帯電器は、
前記フレームにおける前記直交方向の一方側に配置され、
前記第１端部は、
前記フレームにおける前記直交方向の他方側に配置されていることを特徴とする、請求項５に記載の感光体カートリッジ。
【請求項７】
請求項１〜６のいずれか一項に記載の感光体カートリッジと、
前記感光体に現像剤を供給するように構成される現像カートリッジと、を備え、
前記フレームは、
前記軸線方向と直交する直交方向の一方側に設けられ、前記感光体および前記帯電器を支持する感光体収容部と、
前記直交方向の他方側に設けられ、前記現像カートリッジが離脱可能に収容される現像カートリッジ収容部と、を有していることを特徴とする、プロセスカートリッジ。
【請求項８】
装置本体と、
請求項１〜６のいずれか一項に記載の感光体カートリッジと、を備え、
前記感光体カートリッジは、前記装置本体に対して着脱するように構成され、
前記移動部材は、前記感光体カートリッジが前記装置本体に装着された状態で、前記第２位置に配置されることを特徴とする、画像形成装置。
【発明の詳細な説明】
【技術分野】
【０００１】
本発明は、電子写真方式が採用される画像形成装置、その画像形成装置に装着される感光体カートリッジおよびプロセスカートリッジに関する。
【背景技術】
【０００２】
電子写真方式の画像形成装置として、装置本体と、装置本体に着脱されるプロセスカートリッジとを備えるプリンタが知られている。
【０００３】
そのようなプロセスカートリッジとしては、例えば、感光ドラムと、感光ドラムを帯電するスコロトロン方式の帯電器と、感光ドラムおよび帯電器を支持するドラムフレームとを備え、ドラムフレームにおいて、帯電器を挟んで感光ドラムとは反対側に、帯電開口部が形成されるプロセスカートリッジが提案されている（例えば、特許文献１参照。）。
【０００４】
そして、そのようなプロセスカートリッジでは、帯電器による感光ドラムの帯電時において、帯電開口部から帯電器に空気が取り込まれる。
【先行技術文献】
【特許文献】
【０００５】
【特許文献１】特開２０１１−１４１５７７号公報
【発明の概要】
【発明が解決しようとする課題】
【０００６】
そのようなプロセスカートリッジは、例えば、出荷・輸送時などにおいて、誤って落下する場合や、外部の部材と干渉する場合がある。
【０００７】
しかるに、特許文献１に記載のプロセスカートリッジでは、ドラムフレームに帯電開口部が形成されているので、ドラムフレームの強度の向上を図るには限度がある。
【０００８】
そのため、落下や干渉によりドラムフレームに衝撃が加わると、ドラムフレームにおける帯電開口部の周囲が変形し、ひいては、帯電器が変形する場合がある。
【０００９】
そこで、本発明の目的は、出荷・輸送時などにおいて、フレームが変形することを抑制でき、ひいては、帯電器の変形を抑制できる感光体カートリッジ、その感光体カートリッジを備えるプロセスカートリッジおよび画像形成装置を提供することにある。
【課題を解決するための手段】
【００１０】
（１）上記目的を達成するために、本発明の感光体カートリッジは、フレームと、軸線を回転中心として回転するように構成される感光体と、感光体の表面を帯電するように構成される放電ワイヤを有し、感光体の表面と対向するようにフレームに支持される帯電器と、フレームに支持される第１端部と、第１端部とは反対側に位置し、第１端部に対して移動可能に構成される第２端部とを有する移動部材と、を備えている。
【００１１】
フレームは、放電ワイヤに対する感光体の反対側に、放電ワイヤに向けて貫通する開口部を有している。移動部材は、第２端部に、開口部に挿入されるように構成される挿入部を有し、挿入部が開口部内に挿入される第１位置と、挿入部が開口部から離脱される第２位置とに、第１端部がフレームに支持された状態において移動するように構成されている。
【００１２】
このような構成によれば、移動部材が第１位置に配置された状態において、挿入部が開口部内に挿入されるので、フレームの強度、とりわけ、フレームにおける開口部の周囲の強度の向上を図ることができる。
【００１３】
そのため、移動部材を第１位置に配置させた状態で、感光体カートリッジを、出荷・輸送することにより、例え、フレームに衝撃が加わっても、フレームが変形すること、ひいては、フレームに支持される帯電器が変形することを抑制できる。
【００１４】
一方、移動部材を第２位置に配置させた状態では、挿入部が開口部から離脱され、開口部が開放される。
【００１５】
そのため、感光体カートリッジの使用時において、移動部材を第２位置に配置することにより、帯電器に開口部を介して空気を供給することができる。
【００１６】
従って、本発明の感光体カートリッジによれば、例えば、出荷・輸送時などにおいて、ドラムフレームが変形することを抑制できながら、使用時において、帯電器に開口部を介して空気を供給することができる。
（２）また、移動部材は、開口を有し、弾性変形可能に構成されていてもよい。
【００１７】
しかるに、感光体カートリッジの出荷・輸送時などにおいて、例えば、第１位置に配置される移動部材が外部の部材と干渉して、移動部材に衝撃が加わる場合がある。
【００１８】
しかし、上記の構成によれば、移動部材が弾性変形可能であるので、第１位置に配置される移動部材に衝撃が加わっても、移動部材がその衝撃を吸収することができる。
【００１９】
そのため、第１位置に配置される移動部材を介して、フレームに衝撃が伝達されることを抑制できる。その結果、感光体カートリッジの出荷・輸送時などにおいて、フレームが変形することを確実に抑制できる。
（３）また、挿入部は、移動部材が第１位置に配置された状態において、軸線方向における開口部の長さと略等しくなるように形成されていてもよい。
【００２０】
このような構成によれば、挿入部の長さが、軸線方向における開口部の長さと略等しくなるように形成されているので、移動部材が第１位置に配置された状態において、挿入部が開口部の全幅にわたって挿入される。
【００２１】
そのため、移動部材を第１位置に配置することにより、フレームの強度、とりわけ、フレームにおける開口部の周囲の強度のさらなる向上を図ることができる。
（４）また、放電ワイヤに沿って移動することにより、放電ワイヤをクリーニングするクリーニング部材を備えていてもよい。この場合、挿入部は、移動部材が第１位置に配置されたときに、クリーニング部材に接触し、クリーニング部材の放電ワイヤに沿う移動を規制する。
【００２２】
このような構成によれば、クリーニング部材を放電ワイヤに沿って移動させることにより、放電ワイヤをクリーニングすることができる。
【００２３】
また、移動部材が第１位置に配置された状態において、挿入部がクリーニング部材に接触するので、クリーニング部材の移動を規制することができる。そのため、感光体カートリッジの出荷・輸送時などにおいて、クリーニング部材の所望しない移動を抑制できる。
（５）また、移動部材は、感光体カートリッジが操作されるときに把持される把持部の少なくとも一部を構成してもよい。
【００２４】
このような構成によれば、感光体カートリッジが把持部を備えるので、感光体カートリッジの操作性の向上を図ることができる。また、把持部の一部を移動部材が構成するので、把持部と移動部材とが別部材である場合と比較して部品点数の低減を図ることができる。
【００２５】
そのため、感光体カートリッジの操作性の向上を図ることができながら、フレームの変形を抑制でき、かつ、部品点数の低減を図ることができる。
（６）また、フレームは、軸線の延びる軸線方向と直交する直交方向に延びるように形成されていてもよい。この場合、帯電器は、フレームにおける直交方向の一方側に配置され、第１端部は、フレームにおける直交方向の他方側に配置されている。
【００２６】
このような構成によれば、フレームにおける直交方向の一方側に、帯電器および感光体が配置され、フレームにおける直交方向の他方側に、把持部の一部を構成する移動部材の第１端部が配置される。
【００２７】
そのため、帯電器および感光体と、把持部との効率的な配置を確保することができ、直交方向の他方側から、移動部材に対して容易にアクセスすることができる。そのため、移動部材を第１位置と第２位置とに確実に移動させることができる。
【００２８】
また、直交方向の他方側から、把持部の一部を構成する移動部材に対して、容易にアクセスできるので、感光体カートリッジの操作性のさらなる向上を図ることができる。
（７）また、本発明のプロセスカートリッジは、上記の感光体カートリッジと、感光体に現像剤を供給するように構成される現像カートリッジと、を備えている。
【００２９】
フレームは、軸線方向と直交する直交方向の一方側に設けられ、感光体および帯電器を支持する感光体収容部と、直交方向の他方側に設けられ、現像カートリッジが離脱可能に収容される現像カートリッジ収容部と、を有している。
【００３０】
このような構成によれば、上記の感光体カートリッジを備えているので、出荷・輸送時などにおいて、フレームが変形することを抑制でき、ひいては、帯電器の変形を抑制できる。また、現像カートリッジを備えているので、感光体に現像剤を確実に供給することができる。
（８）また、本発明の画像形成装置は、装置本体と、上記の感光体カートリッジと、を備えている。感光体カートリッジは、装置本体に対して着脱するように構成されており、移動部材は、感光体カートリッジが装置本体に装着された状態で、第２位置に配置される。
【００３１】
このような構成によれば、上記の感光体カートリッジを備えているので、出荷・輸送時などにおいて、フレームが変形することを抑制でき、ひいては、帯電器の変形を抑制できる。
【００３２】
また、移動部材は、感光体カートリッジが装置本体に装着された状態で、第２位置に配置されるので、挿入部が開口部から離脱される。そのため、帯電器による感光体の帯電時において、帯電器に開口部を介して空気を供給することができる。
【発明の効果】
【００３３】
本発明の感光体カートリッジ、プロセスカートリッジおよび画像形成装置では、出荷・輸送時などにおいて、フレームが変形することを抑制でき、ひいては、帯電器の変形を抑制できる。
【図面の簡単な説明】
【００３４】
【図１】図１は、本発明の感光体カートリッジの第１実施形態であるドラムカートリッジを備えるプリンタの中央断面図を示す。
【図２】図２は、図１に示すドラムカートリッジを左上側から見た斜視図であって、図２Ａは、ハンドルが起立位置にある状態を示し、図２Ｂは、ハンドルが傾倒位置にある状態を示す。
【図３】図３は、図１に示すドラムカートリッジの中央断面であって、図３Ａは、ハンドルが起立位置にある状態を示し、図３Ｂは、ハンドルが傾倒位置にある状態を示す。
【図４】図４は、本発明の感光体カートリッジの第２実施形態であるドラムカートリッジを左上側から見た斜視図であって、ハンドルが傾倒位置にある状態を示す。
【図５】図５Ａは、本発明の感光体カートリッジの第３実施形態であるドラムカートリッジを左上側から見た斜視図であって、スライド機構が収縮位置にある状態を示し、図５Ｂは、図５Ａに示すドラムカートリッジを左上側から見た斜視図であって、スライド機構が伸張位置にある状態を示し、図５Ｃは、図５Ｂに示すドラムカートリッジ（スライド機構が伸張位置にある状態）の中央断面図を示す。
【図６】図６は、本発明の感光体カートリッジの第４実施形態であるドラムカートリッジを左上側から見た斜視図であって、図６Ａは、伸縮機構が収縮位置にある状態を示し、図６Ｂは、伸縮機構が伸張位置にある状態を示す。
【図７】図７Ａは、本発明の感光体カートリッジの第５実施形態であるドラムカートリッジを左上側から見た斜視図であって、遮光部が遮光位置にある状態を示し、図７Ｂは、図７Ａに示すドラムカートリッジ（遮光部が遮光位置にある状態）における帯電器保持壁および遮光部の中央断面図であり、図７Ｃは、図７Ａに示すドラムカートリッジを左上側から見た斜視図であって、遮光板が挿入位置にある状態を示し、図７Ｄは、図７Ｃに示すドラムカートリッジ（遮光部が挿入位置にある状態）における帯電器保持壁および遮光部の中央断面図である。
【図８】図８Ａは、本発明の感光体カートリッジの第６実施形態であるドラムカートリッジを左後側から見た斜視図であって、搬送補助部が搬送補助位置にある状態を示し、図８Ｂは、図８Ａに示すドラムカートリッジ（搬送補助部が搬送補助位置にある状態）におけるドラム収容部の中央断面図であり、図８Ｃは、図８Ａに示すドラムカートリッジを左後側から見た斜視図であって、搬送補助板が挿入位置にある状態を示し、図８Ｄは、図８Ｃに示すドラムカートリッジ（搬送補助部が挿入位置にある状態）におけるドラム収容部の中央断面図である。
【図９】図９Ａは、本発明の感光体カートリッジの第７実施形態であるドラムカートリッジを左上側から見た斜視図であって、ドラムカバーが装着位置にある状態を示し、図９Ｂは、図９Ａに示すドラムカートリッジ（ドラムカバーが装着位置にある状態）におけるドラム収容部およびドラムカバーの中央断面図であり、図９Ｃは、図９Ａに示すドラムカートリッジ（ドラムカバーが係合位置にある状態）におけるドラム収容部およびドラムカバーの中央断面図である。
【図１０】図１０は、本発明の感光体カートリッジの第８実施形態であるドラムカートリッジの中央断面であって、ハンドルが傾倒位置にある状態を示す。
【発明を実施するための形態】
【００３５】
１．プリンタの全体構成
図１に示すように、画像形成装置の一例としてのプリンタ１は、装置本体の一例としての本体ケーシング２を備えている。
【００３６】
本体ケーシング２は、略ボックス形状に形成され、その内部空間に、用紙Ｓを給紙するように構成される給紙部３と、給紙された用紙Ｓに画像を形成するように構成される画像形成部４とを収容している。
【００３７】
なお、以下の説明において、方向について言及する場合には、プリンタ１を水平に載置した状態を基準として、図１における紙面右側を前側とし、図１における紙面左側を後側とする。また、プリンタ１を前側から見たときを左右の基準とし、図１の紙面手前側が左側であり、紙面奥側が右側である。また、図１の紙面上側が上側であり、紙面下側が下側である。すなわち、前後方向および左右方向のそれぞれが水平方向であり、上下方向が鉛直方向である。また、左右方向が軸線方向の一例であり、左側が軸線方向の一方側、右側が軸線方向の他方側である。また、前後方向が直交方向の一例であり、後側が直交方向の一方側、前側が直交方向の他方側である。
（１）本体ケーシング
本体ケーシング２には、カートリッジ開口部５と、用紙開口部６とが形成されている。
【００３８】
カートリッジ開口部５は、後述するプロセスカートリッジ１５を着脱するために形成され、本体ケーシング２の上端部において、上下方向に貫通形成されている。用紙開口部６は、用紙Ｓを導入するために形成され、本体ケーシング２の前端部における下端部において、前後方向に貫通形成されている。
【００３９】
また、本体ケーシング２には、その上端部に、トップカバー７が設けられ、その前端部に、給紙カバー８が設けられている。
【００４０】
トップカバー７は、その後端部を支点として、カートリッジ開口部５を閉鎖する閉鎖位置と、カートリッジ開口部５を開放する開放位置とに揺動可能に設けられている。
【００４１】
給紙カバー８は、その下端部を支点として、用紙開口部６を閉鎖する閉鎖位置と、用紙開口部６を開放する開放位置とに揺動可能に設けられている。なお、図１において、閉鎖位置に配置されるトップカバー７および給紙カバー８を実線にて示し、閉鎖位置と開放位置との間に配置されるトップカバー７および給紙カバー８を仮想線にて示す。
（２）給紙部
給紙部３は、本体ケーシング２の底部に設けられる用紙載置部９を備えている。用紙載置部９は、給紙カバー８が開放位置に配置された状態において、用紙開口部６を介して、本体ケーシング２の外部と連通されている。
【００４２】
そして、用紙Ｓは、給紙カバー８が開放位置に配置された状態において、その前側部分が給紙カバー８の上面にスタックされるとともに、その後側部分が用紙開口部６を介して用紙載置部９内にスタックされる。
（３）画像形成部
画像形成部４は、プロセスカートリッジ１５と、スキャナユニット１６と、定着ユニット１７とを備えている。
【００４３】
プロセスカートリッジ１５は、本体ケーシング２に対して着脱可能に構成され、給紙部３の後側部分の上側において本体ケーシング２に装着されている。プロセスカートリッジ１５は、感光体カートリッジの一例としてのドラムカートリッジ１８と、現像カートリッジ１９とを備えている。
【００４４】
ドラムカートリッジ１８は、本体ケーシング２に対して着脱可能に構成されている。また、ドラムカートリッジ１８は、感光体の一例としての感光ドラム２０と、転写ローラ２１と、帯電器の一例としてのスコロトロン型帯電器２２とを備えている。
【００４５】
感光ドラム２０は、左右方向に延びる略円筒形状に形成されており、ドラムカートリッジ１８の後側部分に回転可能に設けられている。また、感光ドラム２０は、後述する画像形成動作時において、図示しないモータなどの駆動源からの駆動力が伝達されることにより、軸線Ａを回転中心として、左側面視時計回りに回転駆動される。
【００４６】
転写ローラ２１は、左右方向に延びる略円柱形状に形成されており、感光ドラム２０に対して後側から圧接するように、感光ドラム２０の後側に配置されている。また、転写ローラ２１は、ドラムカートリッジ１８に回転可能に設けられている。
【００４７】
スコロトロン型帯電器２２は、感光ドラム２０の表面と対向するように、感光ドラム２０の前上側に間隔を隔てて配置されている。また、スコロトロン型帯電器２２は、放電ワイヤ２３と、グリッド２４とを備えている。
【００４８】
帯電ワイヤ２３は、左右方向に延びるように張設され、感光ドラム２０の前上側に間隔を隔てて対向配置されている。グリッド２４は、前上方に向かって開放された側面視略コ字状に形成され、放電ワイヤ２３を後下側から囲うように設けられている。
【００４９】
現像カートリッジ１９は、感光ドラム２０の前下側に配置されており、現像フレーム２５を備えている。
【００５０】
現像フレーム２５内には、トナー収容室２６と現像室２７とが前後方向に並列して区画されている。トナー収容室２６と現像室２７とは、連通口２８により連通されている。
【００５１】
トナー収容室２６には、現像剤の一例としてのトナーが収容されている。現像室２７には、現像ローラ３４と、供給ローラ３３と、層厚規制ブレード３５とが設けられている。
【００５２】
現像ローラ３４は、その上側部分および後側部分が露出されるように、現像フレーム２５の後端部に回転可能に設けられ、感光ドラム２０に対して前下側から接触している。
【００５３】
供給ローラ３３は、現像ローラ３４に対して前下側から接触するように、現像ローラ３４の前下側に配置され、現像フレーム２５に回転可能に設けられている。
【００５４】
層厚規制ブレード３５は、現像ローラ３４に前側から接触するように、現像フレーム２５に支持されている。
【００５５】
スキャナユニット１６は、本体ケーシング２内において、プロセスカートリッジ１５の前側に配置されている。スキャナユニット１６は、感光ドラム２０に向けて、画像データに基づくレーザービームＬを出射し、感光ドラム２０の周面を露光する。
【００５６】
定着ユニット１７は、本体ケーシング２内において、ドラムカートリッジ１８の後側部分の上側に配置されている。定着ユニット１７は、加熱ローラ３８と、加熱ローラ３８に対して後上側から圧接する加圧ローラ３９とを備えている。
（４）画像形成動作
現像カートリッジ１９のトナー収容室２６内のトナーは、連通口２８を介して、供給ローラ３３に供給され、さらに、現像ローラ３４に供給され、供給ローラ３３と現像ローラ３４との間で正極性に摩擦帯電される。
【００５７】
現像ローラ３４に供給されたトナーは、現像ローラ３４の回転に伴って、層厚規制ブレード３５によって厚さが規制され、一定厚さの薄層として現像ローラ３４の表面に担持される。
【００５８】
一方、感光ドラム２０の表面は、放電ワイヤ２３の放電により一様に帯電される。このとき、後述する帯電開口部５６を介して、スコロトロン型帯電器２２に空気が供給される。続いて、帯電された感光ドラム２０は、スキャナユニット１６によって露光される。これにより、感光ドラム２０の周面には、画像データに基づく静電潜像が形成される。そして、現像ローラ３４に担持されるトナーが感光ドラム２０の周面上の静電潜像に供給されることにより、感光ドラム２０の周面上にトナー像が担持される。
【００５９】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、上下方向に延びる給紙パス１４に搬送されて、所定のタイミングで１枚ずつ、感光ドラム２０と転写ローラ２１との間に給紙される。そして、用紙Ｓには、感光ドラム２０と転写ローラ２１との間を通過するときに、トナー像が転写され、画像が形成される。
【００６０】
続いて、用紙Ｓは、加熱ローラ３８と加圧ローラ３９との間を通過するときに加熱および加圧される。このとき、用紙Ｓには、画像が熱定着される。その後、用紙Ｓは、１対の排紙ローラ４０との間に向けて搬送され、１対の排紙ローラ４０によって、本体ケーシング２の上面に形成される排紙トレイ４１に排出される。
【００６１】
このように用紙Ｓは、用紙載置部９から給紙され、感光ドラム２０と転写ローラ２１との間を通過し、次いで、加熱ローラ３８と加圧ローラ３９との間を通過した後、排紙トレイ４１に排紙されるように、側面視略Ｃ字状の搬送パスを搬送される。
２．ドラムカートリッジの詳細
ドラムカートリッジ１８は、図２Ａおよび図２Ｂに示すように、フレームの一例としてのドラムフレーム４５を備えている。
【００６２】
なお、以下のドラムカートリッジ１８の説明において、方向について言及する場合には、感光ドラム２０が配置されている側をドラムカートリッジ１８の後側とし、スコロトロン型帯電器２２が配置されている側を上側とする。すなわち、ドラムカートリッジ１８に関する上下前後方向は、プリンタ１に関する上下前後方向と異なり、ドラムカートリッジ１８は、その後側がプリンタ１の後上側、その前側がプリンタ１の前下側となるように、プリンタ１に装着されている。
（１）ドラムフレーム
ドラムフレーム４５は、前後方向に延びるように形成されており、１対の側壁４６と、底壁４７と、前壁６１と、後壁４９と、帯電器保持壁４８とを備えている。
【００６３】
１対の側壁４６は、左右方向に互いに間隔を隔てて対向配置されている。
【００６４】
１対の側壁４６のそれぞれは、前後方向に長手の略平板形状に形成されており、その後側半分を構成するドラム収容部側壁５０と、その前側半分を構成するカートリッジ収容部側壁５１とを一体的に有している。
【００６５】
ドラム収容部側壁５０は、側面視略矩形状に形成されている。カートリッジ収容部側壁５１は、ドラム収容部側壁５０の前端部における下側部分から連続して、前方に向かって延びる側面視略矩形状に形成されている。
【００６６】
底壁４７は、１対の側壁４６の下端部間に架設されるように、左右方向に長手の平面視略矩形状の略平板形状に形成されている。
【００６７】
前壁６１は、１対の側壁４６の前端部間に架設されるように、左右方向に長手の正面視略矩形状の略平板形状に形成されている。また、前壁６１の下端部は、図３Ａに示すように、底壁４７の前端部に接続されている。
【００６８】
また、前壁６１には、図２Ａに示すように、１対の軸支持部６２が一体的に設けられている。１対の軸支持部６２は、前壁６１の後面において、左右方向に互いに間隔を隔てて対向配置されている。１対の軸支持部６２のそれぞれは、前壁６１の後面から後方に向かって突出する平面視略矩形状に形成され、上下方向に延びる略角柱形状に形成されている。
【００６９】
後壁４９は、１対の側壁４６の後端部間、より具体的には、両ドラム収容部側壁５０の後端部間に架設されている。また、後壁４９は、その下側部分を構成する転写ローラ収容部５２と、その上側部分を構成する開口形成部５３とを一体的に有している。
【００７０】
転写ローラ収容部５２は、図３Ａに示すように、底壁４７の後端部の後側に間隔を隔てて配置されている。また、転写ローラ収容部５２は、前上方に向かって開放される側面視略Ｕ字状に形成され、左右方向に延びる略部分円筒形状に形成されている。なお、転写ローラ収容部５２と底壁４７との間の開口領域が、感光ドラム２０と転写ローラ２１との間に向かう用紙Ｓを通過させるための給紙開口５４として区画されている。
【００７１】
開口形成部５３は、転写ローラ収容部５２の上端部から連続して前上方に延び、左右方向に長手の略平板形状に形成されている。
【００７２】
また、開口形成部５３には、図２Ａに示すように、排紙開口５５と、レール溝６３とが形成されている。排紙開口５５は、開口形成部５３の上下方向略中央部分において、左右方向に長手の背面視略矩形状に貫通形成されている。排紙開口５５は、画像形成動作時において、感光ドラム２０と転写ローラ２１との間を通過した用紙Ｓを定着ユニット１７に向かって通過させる（図１参照）。レール溝６３は、開口形成部５３の後面において、排紙開口５５の上側に形成されている。レール溝６３は、開口形成部５３の後面から前方に向かって凹み、開口形成部５３の全域にわたって左右方向に延びる凹条として形成されている。
【００７３】
帯電器保持壁４８は、開口形成部５３の上端部の前側に隣接配置されており、１対のドラム収容部側壁５０の上端部間に架設されている。帯電器保持壁４８は、図３Ａに示すように、下方に向かって開放される側面視略コ字状に形成され、左右方向に延びるように形成されている。
【００７４】
また、帯電器保持壁４８の上壁には、図２Ａに示すように、開口部の一例としての帯電開口部５６が形成されている。帯電開口部５６は、帯電器保持壁４８の上壁の前後方向略中央部分において、左右方向に長手の平面視略矩形状に貫通形成されている。帯電開口部５６は、画像形成動作時において、空気の通過を許容し、スコロトロン型帯電器２２に空気を供給する。
【００７５】
そして、ドラムフレーム４５は、その後側部分が、感光体収容部の一例としてのドラム収容部５７として区画され、その前側部分が、現像カートリッジ収容部の一例としてのカートリッジ収容部５８として区画されている。
（２）ドラム収容部
ドラム収容部５７は、詳しくは、１対のドラム収容部側壁５０、後壁４９、帯電器保持壁４８および底壁４７の後側部分により区画されている。
【００７６】
また、ドラム収容部５７には、図３Ａに示すように、感光ドラム２０と、転写ローラ２１と、スコロトロン型帯電器２２と、クリーニング部材６０（図２Ａ参照）とが設けられている。つまり、感光ドラム２０、転写ローラ２１、スコロトロン型帯電器２２およびクリーニング部材６０は、ドラムフレーム４５における後側に配置されている。
【００７７】
感光ドラム２０は、１対のドラム収容部側壁５０間において、帯電器保持壁４８の下側かつ底壁４７の後端部の上側に配置されている。
【００７８】
転写ローラ２１は、感光ドラム２０に後下側から圧接するように、転写ローラ収容部５２内に配置されている。
【００７９】
スコロトロン型帯電器２２は、感光ドラム２０に対して、上側から間隔を隔てて対向するように、帯電器保持壁４８の内部に支持されている。
【００８０】
より詳しくは、スコロトロン型帯電器２２の放電ワイヤ２３は、側面視において、帯電器保持壁４８の内部における略中央部分に配置されている。これにより、放電ワイヤ２３は、上下方向において感光ドラム２０と帯電開口部５６との間に配置されている。つまり、帯電開口部５６は、放電ワイヤ２３に対して感光ドラム２０の反対側に形成されており、帯電器保持壁４８の上壁を放電ワイヤ２３に向けて貫通することにより形成されている。また、グリッド２４は、その下端部が、上下方向において放電ワイヤ２３と感光ドラム２０との間に配置されるように帯電器保持壁４８内に支持されている。
【００８１】
クリーニング部材６０は、図２Ａに示すように、側面視略Ｌ字状に形成され、左右方向に延びる略平板形状に形成されており、前後方向に延びるクリーニング部８６と、クリーニング部８６の後端部から連続して、後下方に向かって延びる操作部６４とを一体的に有している。
【００８２】
クリーニング部８６は、帯電器保持壁４８上の配置されている。また、クリーニング部８６は、図示しないが、その下面において、放電ワイヤ２３をクリーニングするためのスポンジ部材を保持している。図示しないスポンジ部材は、帯電開口部５６を介して帯電器保持壁４８内に配置され、放電ワイヤ２３を挟むように屈曲している。
【００８３】
操作部６４は、開口形成部５３の後側に配置されている。また、操作部６４は、図示しないが、その前面において、レール溝６３と嵌合する凸部が設けられている。
【００８４】
そして、クリーニング部材６０は、仮想線で示すように、操作部６４の図示しない凸部がレール溝６３にガイドされることにより、左右方向すなわち放電ワイヤ２３に沿って移動可能に構成されている。また、クリーニング部材６０は、常には、クリーニング部８６が帯電開口部５６の左端部の上側に配置される所定位置に配置される。
【００８５】
そして、所定位置に配置されるクリーニング部材６０の操作部６４をレール溝６３に沿って右方に移動させることにより、図示しないスポンジ部材が放電ワイヤ２３に付着した付着物を掻き取って、放電ワイヤ２３をクリーニングする。なお、クリーニングが終了すると、クリーニング部材６０は、所定位置に戻される。
（３）カートリッジ収容部
カートリッジ収容部５８は、詳しくは、１対のカートリッジ収容部側壁５１、前壁６１および底壁４７の前側部分により区画されている。これにより、カートリッジ収容部５８は、現像カートリッジ１９の着脱を許容するように上側が開放されている。
【００８６】
また、カートリッジ収容部５８には、移動部材の一例としてのハンドル６５が設けられている。
【００８７】
ハンドル６５は、第１端部の一例としての軸部６６と、把持部６７とを一体的に有している。なお、以下のハンドル６５の説明においては、ハンドル６５が、図２Ａおよび図３Ａに示すように、挿入離脱位置に配置された状態を基準として説明する。
【００８８】
軸部６６は、左右方向に延びる略円柱形状に形成されている。
【００８９】
把持部６７は、下方に向かって開放される正面視略Ｕ字状に形成されており、１対の連結部６８と、第２端部の一例としての把持部分６９とを一体的に有している。
【００９０】
１対の連結部６８は、左右方向に互いに間隔を隔てて対向配置されており、１対の連結部６８のそれぞれは、上下方向に延びる略杆状に形成されている。
【００９１】
把持部分６９は、１対の連結部６８の上端部を連結するように、左右方向に延びる略杆状に形成されている。
【００９２】
また、把持部分６９には、挿入部７１が一体的に設けられている。挿入部７１は、第１挿入部７２と、第２挿入部７３とを備えている。
【００９３】
第１挿入部７２は、把持部分６９の後面における左右方向略中央部分から、後方に向かって突出する平面視略矩形状の略平板形状に形成されている。
【００９４】
第２挿入部７３は、平面視略矩形状の略平板形状に形成されており、その前端部における右端部が、把持部分６９の後面における左端部に接続されている。これにより、第２挿入部７３は、把持部分６９の左端面よりも、左方に向かって突出している。また、第１挿入部７２および第２挿入部７３のそれぞれの前後方向長さ、すなわち厚みは、帯電開口部５６の前後方向長さと略同じ長さに形成されている。
【００９５】
そして、把持部６７は、１対の連結部６８のそれぞれの下端部が、軸部６６の左右方向中央部分を跨ぐように、軸部６６に固定されている。つまり、把持部６７の把持部分６９は、連結部６８に対して、軸部６６の反対側に位置する。また、把持部分６９は、１対の連結部６８および軸部６６により区画される領域が、開口の一例としての通過口７０として形成されている。通過口７０は、正面視略矩形状に形成されており、前後方向に貫通している。これにより、把持部６７は、弾性変形可能に構成されている。
【００９６】
また、ハンドル６５は、軸部６６の左右両端部が、１対の軸支持部６２に回転可能に支持されることにより、ドラムフレーム４５に揺動可能に支持されている。つまり、軸部６６は、ドラムフレーム４５における前側に配置されており、ハンドル６５は、把持部分６９が軸部６６に対して移動可能となるように構成されている。
【００９７】
より詳しくは、ハンドル６５は、軸部６６がドラムフレーム４５に支持された状態において、軸部６６を支点として、図３Ａに示すように、連結部６８が上下方向に延びるように起立する、第２位置の一例としての起立位置と、起立位置から左側面視反時計回りに、約４５°傾倒する、第１位置の一例としての傾倒位置とに揺動可能に設けられている。
【００９８】
ハンドル６５が起立位置に配置された状態において、図２Ａおよび図３Ａに示すように、第１挿入部７２および第２挿入部７３は、帯電開口部５６から離脱されている。一方、ハンドル６５が傾倒位置に配置された状態において、図２Ｂおよび図３Ｂに示すように、第１挿入部７２および第２挿入部７３は、帯電開口部５６に上側から挿入されている。
【００９９】
また、ハンドル６５が傾倒位置に配置された状態において、第２挿入部７３は、図２Ｂに示すように、所定位置に配置されるクリーニング部材６０に右側から接触するように隣接配置され、クリーニング部材６０の放電ワイヤ２３に沿う移動を規制している。
３． 本体ケーシングに対するプロセスカートリッジの着脱動作
次に、本体ケーシング２に対するプロセスカートリッジ１５の着脱動作について説明する。
【０１００】
本体ケーシング２にプロセスカートリッジ１５を装着するには、まず、ドラムカートリッジ１８のカートリッジ収容部５８に対して、図１に示すように、現像カートリッジ１９を上側から装着する。これにより、プロセスカートリッジ１５が形成される。
【０１０１】
次いで、本体ケーシング２を開放位置に配置し、カートリッジ開口部５を開放する。
【０１０２】
次いで、起立位置にあるハンドル６５の把持部分６９を把持して、プロセスカートリッジ１５を、カートリッジ開口部５を介して、後下方に向かって本体ケーシング２内に挿入する。そうすると、プロセスカートリッジ１５は、上下方向において、給紙部３の後側部分と定着ユニット１７との間に到達し、本体ケーシング２内における装着位置に配置される。
【０１０３】
このとき、ハンドル６５は、起立位置に配置され、前後方向に投影したときに、通過口７０とスキャナユニット１６とが重なるように、スキャナユニット１６の後側に配置されている。
【０１０４】
そのため、画像形成動作時において、スキャナユニット１６から出射されるレーザービームＬは、通過口７０を前側から後側に向かって通過した後、感光ドラム２０の周面に到達し、感光ドラム２０の周面を露光する。このように、ハンドル６５が通過口７０を有しているので、レーザービームＬは、ハンドル６５の通過口７０を通過し、感光ドラム２０の周面を露光することができる。そのため、露光装置の一例としてのスキャナユニット１６を、スキャナユニット１６から出射されるレーザービームＬがハンドル６５をよけるように、本体ケーシング２の上部に配置する必要がない。その結果、プリンタ１を小型化することができる。
【０１０５】
次いで、本体ケーシング２のトップカバー７を開放位置から閉鎖位置に向けて移動させる。
【０１０６】
以上によって、プロセスカートリッジ１５の本体ケーシング２に対する装着が完了する。
【０１０７】
プロセスカートリッジ１５を本体ケーシング２から離脱させるには、上記した装着動作と逆の手順に操作する。
【０１０８】
具体的には、トップカバー７を開放位置に配置した後、ハンドル６５の把持部分６９を把持して、前上方に向かって引き上げる。
【０１０９】
そうすると、プロセスカートリッジ１５は、カートリッジ開口部５を介して、本体ケーシング２から離脱される。これにより、プロセスカートリッジ１５は、装着位置から離脱位置に移動される。
【０１１０】
以上によって、プロセスカートリッジ１５の本体ケーシング２からの離脱が完了する。
４．作用効果
（１）ドラムカートリッジ１８では、図３Ｂに示すように、ハンドル６５が傾倒位置に配置された状態において、挿入部７１が帯電開口部５６内に挿入される。そのため、ドラムフレーム４５の強度、とりわけ、ドラムフレーム４５における帯電開口部５６の周囲、すなわち帯電器保持壁４８の強度の向上を図ることができる。
【０１１１】
その結果、ハンドル６５を傾倒位置に配置させた状態で、ドラムカートリッジ１８を、出荷・輸送することにより、例え、ドラムフレーム４５に衝撃が加わっても、ドラムフレーム４５が変形すること、ひいては、ドラムフレーム４５に支持されるスコロトロン型帯電器２２が変形することを抑制できる。
【０１１２】
一方、図３Ａに示すように、ハンドル６５を起立位置に配置させた状態では、挿入部７１が帯電開口部５６から離脱され、帯電開口部５６が開放される。
【０１１３】
そのため、ドラムカートリッジ１８の使用時において、図１に示すように、ハンドル６５を起立位置に配置することにより、スコロトロン型帯電器２２に帯電開口部５６を介して空気を供給することができる。
【０１１４】
従って、本発明のドラムカートリッジ１８によれば、例えば、出荷・輸送時などにおいて、ドラムフレーム４５が変形することを抑制できながら、使用時において、スコロトロン型帯電器２２に帯電開口部５６を介して空気を供給することができる。
（２）また、ハンドル６５には、図２Ａに示すように、通過口７０が区画されており、把持部６７が弾性変形可能に構成されている。
【０１１５】
そのため、図２Ｂに示すように、傾倒位置に配置されるハンドル６５の把持部６７に衝撃が加わっても、ハンドル６５がその衝撃を吸収することができる。
【０１１６】
その結果、傾倒位置に配置されるハンドル６５を介して、ドラムフレーム４５に衝撃が伝達されることを抑制できる。従って、ドラムカートリッジ１８の出荷・輸送時などにおいて、ドラムフレーム４５が変形することを確実に抑制できる。
（３）また、ドラムフレーム４５のドラム収容部５７には、図２Ａに示すように、クリーニング部材６０が設けられている。
【０１１７】
そのため、クリーニング部材６０を、左右方向すなわち放電ワイヤ２３に沿って移動させることにより、放電ワイヤ２３をクリーニングすることができる。
【０１１８】
また、図２Ｂに示すように、ハンドル６５が傾倒位置に配置された状態において、挿入部７１がクリーニング部材６０に接触するので、クリーニング部材６０の移動を規制することができる。そのため、ドラムカートリッジ１８の出荷・輸送時などにおいて、クリーニング部材６０の所望しない移動を抑制できる。
（４）また、ハンドル６５の把持部６７は、図１に示すように、ドラムカートリッジ１８が操作されるとき、具体的には、プロセスカートリッジ１５の本体ケーシング２に対する着脱時などにおいて、ユーザに把持される。
【０１１９】
そのため、ドラムカートリッジ１８、ひいては、プロセスカートリッジ１５の操作性の向上を図ることができながら、ドラムフレーム４５の変形を抑制でき、かつ、部品点数の低減を図ることができる。
（５）また、ドラムフレーム４５は、図３Ａに示すように、ドラムフレーム４５における後側に、スコロトロン型帯電器２２および感光ドラム２０が配置され、ドラムフレーム４５における前側に、ハンドル６５の軸部６６が配置される。
【０１２０】
そのため、スコロトロン型帯電器２２および感光ドラム２０と、ハンドル６５との効率的な配置を確保することができ、前側から、ハンドル６５に対して容易にアクセスすることができる。そのため、ハンドル６５を傾倒位置と起立位置とに確実に移動させることができる。
【０１２１】
また、前側から、ハンドル６５に対して容易にアクセスできるので、ドラムカートリッジ１８の操作性のさらなる向上を図ることができる。
（６）また、プロセスカートリッジ１５は、図１に示すように、ドラムカートリッジ１８を備えているので、出荷・輸送時などにおいて、ドラムフレーム４５が変形することを抑制でき、ひいては、スコロトロン型帯電器２２の変形を抑制できる。また、現像カートリッジ１９を備えているので、感光ドラム２０にトナーを確実に供給することができる。
（７）また、プリンタ１は、図１に示すように、ドラムカートリッジ１８を備えているので、出荷・輸送時などにおいて、ドラムフレーム４５が変形することを抑制でき、ひいては、スコロトロン型帯電器２２の変形を抑制できる。
【０１２２】
また、ハンドル６５は、ドラムカートリッジ１８が本体ケーシング２に装着された状態で起立位置に配置され、挿入部７１が帯電開口部５６から離脱されている。
【０１２３】
そのため、画像形成動作時において、スコロトロン型帯電器２２が感光ドラム２０を帯電するときに、スコロトロン型帯電器２２に帯電開口部５６を介して空気を供給することができる。
【０１２４】
また、スキャナユニット１６から出射されるレーザービームＬが、ハンドル６５の通過口７０を前側から後側に向かって通過し、感光ドラム２０の周面を露光する。そのため、ドラムカートリッジ１８がハンドル６５を備えることができながら、スキャナユニット１６が感光ドラム２０を確実に露光できる。
５．第２実施形態
次に、本発明の第２実施形態について説明する。
【０１２５】
図４は、本発明の感光体カートリッジの第２実施形態であるドラムカートリッジを左上側から見た斜視図であって、ハンドルが傾倒位置にある状態を示す。
【０１２６】
図４において、図１〜図３に示す各部に対応する部分には、それらの各部と同一の参照符号を付し、その説明を省略する。
【０１２７】
第１実施形態では、ハンドル６５の把持部分６９に、第１挿入部７２と第２挿入部７３とを備える挿入部７１が設けられるが、第２実施形態では、ハンドル６５の把持部分６９に、１つの部材から構成される挿入部９９が設けられている。
【０１２８】
具体的には、挿入部９９は、左右方向に長手の平面視略矩形状の略平板形状に形成されており、その前端部が、把持部分６９の後面に接続されている。また、挿入部９９の前後方向長さすなわち厚みは、帯電開口部５６の前後方向長さと略同じ長さに形成されている。
【０１２９】
また、挿入部９９の左右方向の長さが、帯電開口部５６の右端縁と、所定位置に配置されるクリーニング部材６０の右端縁との左右方向における間隔と略同じ長さに形成されている。そのため、挿入部９９は、ハンドル６５が傾倒位置に配置された状態において、帯電開口部５６の全幅にわたって挿入される。つまり、挿入部９９は、ハンドル６５が傾倒位置に配置された状態において、左右方向における帯電開口部５６の長さと略等しくなるように形成されている。
【０１３０】
その結果、ドラムフレーム４５の強度、とりわけ、ドラムフレーム４５における帯電開口部５６の周囲すなわち帯電器保持壁４８の強度のさらなる向上を図ることができる。
【０１３１】
また、ハンドル６５が傾倒位置に配置された状態において、挿入部９９の左端部は、所定位置に配置されるクリーニング部材６０のクリーニング部８６に対して右側から接触しており、クリーニング部材６０の移動を規制している。
【０１３２】
また、このような第２実施形態においても、上記した第１実施形態と同様の作用効果を奏することができる。
６．第３実施形態
次に、本発明の第３実施形態について説明する。
【０１３３】
図５Ａは、本発明の感光体カートリッジの第３実施形態であるドラムカートリッジを左上側から見た斜視図であって、スライド機構が収縮位置にある状態を示す。図５Ｂは、図５Ａに示すドラムカートリッジを左上側から見た斜視図であって、スライド機構が伸張位置にある状態を示す。図５Ｃは、図５Ｂに示すドラムカートリッジ（スライド機構が伸張位置にある状態）の中央断面図を示す。
【０１３４】
図５において、図１〜図４に示す各部に対応する部分には、それらの各部と同一の参照符号を付し、その説明を省略する。
【０１３５】
第１実施形態および第２実施形態では、図１〜図４に示すように、ハンドル６５が、軸部６６を支点として、傾倒位置と起立位置とに揺動するように構成されているが、これに限定されず、第３実施形態では、移動部材の一例としてのハンドル１００が、第１位置の一例としての伸長位置と、第２位置の一例としての収縮位置とに移動可能なスライド機構７４を備えている。
【０１３６】
より具体的には、ハンドル１００は、第１端部の一例としての本体部７５と、スライド機構７４とを備えている。
【０１３７】
本体部７５は、図５Ｃに示すように、前壁６１の前面から連続して、前上方に延び、左右方向に長手の略平板形状に形成されている。
【０１３８】
また、本体部７５には、図５Ｂに示すように、通過口７６が形成され、かつ、第１連結ボス７７が設けられている。通過口７６は、本体部７５の略中央部分において、左右方向に長手の背面視略矩形状に貫通形成されている。なお、通過口７６は、プロセスカートリッジ１５が本体ケーシング２に装着された状態で、スキャナユニット１６と前後方向に対向配置され、画像形成動作時において、スキャナユニット１６から出射されるレーザービームＬが通過される。
【０１３９】
第１連結ボス７７は、本体部７５の左右両端面のそれぞれにおける上端部から、左右方向外方に向かって突出する略円柱形状に形成されている。
【０１４０】
スライド機構７４は、１対の第１スライダ７８と、第２スライダ７９とを備えている。
なお、以下のスライド機構７４の説明においては、スライド機構７４が、図５Ｂに示すように、伸張位置に配置された状態を基準として説明する。
【０１４１】
１対の第１スライダ７８は、左右方向に互いに間隔を隔てて対向配置され、前後方向に延びる略杆状に形成されている。また、１対の第１スライダ７８のそれぞれには、第１ボス挿通穴８０が形成され、かつ、第２連結ボス８１が設けられている。
【０１４２】
第１ボス挿通穴８０は、第１スライダ７８の略中央部分に形成され、前後方向に長手の側面視略矩形状に貫通形成されている。第２連結ボス８１は、第１スライダ７８の左右方向外側面における後端部から、左右方向外方に突出する略円柱形状に形成されている。
【０１４３】
そして、１対の第１スライダ７８のそれぞれは、第１ボス挿通穴８０に第１連結ボス７７が挿入されるように、本体部７５に対して左右方向外側から隣接配置されている。
【０１４４】
第２スライダ７９は、前方に向かって開放される平面視略Ｕ字状に形成され、１対の連結部８２と、第２端部の一例としての把持部分８３とを一体的に有している。
【０１４５】
１対の連結部８２は、左右方向に互いに間隔を隔てて対向配置され、前後方向に延びる略杆状に形成されている。１対の連結部８２のそれぞれには、第２ボス挿通穴８４が形成されている。第２ボス挿通穴８４は、連結部８２の略中央部分に形成され、前後方向に長手の側面視略矩形状に貫通形成されている。
【０１４６】
そして、連結部８２は、第２ボス挿通穴８４に第２連結ボス８１が挿入されるように、第１スライダ７８に対して左右方向外側から隣接配置されている。
【０１４７】
把持部分８３は、１対の連結部８２の後端部間を連結するように、左右方向に延びる略杆状に形成されている。
【０１４８】
また、把持部分８３には、図５Ｃに示すように、挿入部８５が一体的に設けられている。挿入部８５は、把持部分８３の下面における前側部分から、下方に向かって突出する側面視略矩形状に形成され、左右方向に延びる突条として形成されている。
【０１４９】
また、挿入部８５は、その前後方向長さが、帯電開口部５６の前後方向長さと略同じ長さに形成されている。
【０１５０】
そして、スライド機構７４は、ドラムフレーム４５に対して、図５Ａに示すように、本体部７５、１対の第１スライダ７８および１対の連結部８２が、左右方向に投影したときに重なるように並ぶ収縮位置と、１対の第１スライダ７８および第２スライダ７９が前後方向に延びるように伸張する伸張位置とに移動可能に構成されている。つまり、ハンドル１００は、把持部分８３が本体部７５に対して移動可能となるように構成されている。
【０１５１】
スライド機構７４が収縮位置に配置された状態において、図示しないが、第１連結ボス７７は、第１ボス挿通穴８０の上端部に挿通され、第２連結ボス８１は、第２ボス挿通穴８４の上端部に挿通されている。また、スライド機構７４が収縮位置に配置された状態において、挿入部８５は、図５Ａに示すように、帯電開口部５６から離脱されている。
【０１５２】
一方、スライド機構７４が伸張位置に配置された状態において、図５Ｂに示すように、第１連結ボス７７は、第１ボス挿通穴８０の前端部に挿通され、第２連結ボス８１は、第２ボス挿通穴８４の前端部に挿通される。また、スライド機構７４が伸張位置に配置された状態において、挿入部８５は、図５Ｃに示すように、帯電開口部５６に上側から挿入される。また、左側の連結部８２は、所定位置に配置されるクリーニング部材６０に右側から接触するように隣接配置され、クリーニング部材６０の放電ワイヤ２３に沿う移動を規制している。
【０１５３】
このような第３実施形態では、ハンドル１００が、収縮位置と伸張位置とに移動可能なスライド機構７４を備えているので、ドラムカートリッジ１８の出荷・輸送時においては、スライド機構７４を伸張位置に配置することにより、ドラムフレーム４５の変形を抑制することができる。
【０１５４】
一方、ドラムカートリッジ１８の本体ケーシング２に対する装着時においては、スライド機構７４を収縮位置に配置することができる。そのため、画像形成動作時において、スコロトロン型帯電器２２に帯電開口部５６を介して空気を供給することができながら、ハンドル１００を、第１実施形態のハンドル６５よりも、上下方向に小型化することができる。
【０１５５】
その結果、出荷・輸送時におけるドラムフレーム４５の変形を抑制することができながら、プリンタ１の上下方向における小型化を図ることができる。
【０１５６】
また、このような第３実施形態においても、上記した第１実施形態と同様の作用効果を奏することができる。
７．第４実施形態
次に、本発明の第４実施形態について説明する。
【０１５７】
図６は、本発明の感光体カートリッジの第４実施形態であるドラムカートリッジを左上側から見た斜視図であって、図６Ａは、伸縮機構が収縮位置にある状態を示し、図６Ｂは、伸縮機構が伸張位置にある状態を示す。
【０１５８】
図６において、図１〜図５に示す各部に対応する部分には、それらの各部と同一の参照符号を付し、その説明を省略する。
【０１５９】
第３実施形態では、図５に示すように、ハンドル１００が、スライド機構７４を備えているが、第４実施形態では、図６に示すように、ハンドル１００が、伸縮機構８７を備えている。
【０１６０】
伸縮機構８７は、本体部７５の後面における上端部に設けられており、蛇腹部８８と、第２端部の一例としての把持部分８９とを備えている。
【０１６１】
蛇腹部８８は、前後方向に伸縮自在であり、弾性変形可能に構成されている。また、蛇腹部８８は、その前端部が本体部７５の後面に固定されている。
【０１６２】
把持部分８９は、蛇腹部８８の後端部に連結されており、左右方向に延びる略杆状に形成されている。把持部分８９には、図６Ａに示すように、挿入部９０が一体的に設けられている。
【０１６３】
挿入部９０は、把持部分８９の下面における後端部から、下方に向かって突出する側面視略矩形状に形成され、左右方向に延びる突条として形成されている。また、挿入部９０は、その前後方向の長さが、帯電開口部５６の前後方向長さと略同じ長さに形成されている。
【０１６４】
そして、伸縮機構８７は、ドラムフレーム４５に対して、図５Ａに示すように、蛇腹部８８が最も収縮し、把持部分８９が相対的に本体部７５に近づく収縮位置と、図５Ｂに示すように、蛇腹部８８が前後方向に伸張し、把持部分８９が帯電器保持壁４８の上側に配置される伸張位置とに移動可能に構成されている。
【０１６５】
伸縮機構８７が収縮位置に配置された状態において、挿入部９０は、図６Ａに示すように、帯電開口部５６から離脱されている。一方、伸縮機構８７が伸張位置に配置された状態において、図６Ｂに示すように、挿入部９０は、帯電開口部５６に上側から挿入されている。また、把持部分８９は、所定位置に配置されるクリーニング部材６０に右側から接触しており、クリーニング部材６０の放電ワイヤ２３に沿う移動を規制している。
【０１６６】
このような第４実施形態では、伸縮機構８７の蛇腹部８８が、弾性変形可能に構成されているので、伸張位置に配置される伸縮機構８７に衝撃が加わっても、蛇腹部８８がその衝撃を吸収することができる。
【０１６７】
その結果、伸張位置に配置される伸縮機構８７を介して、ドラムフレーム４５に衝撃が伝達されることを抑制できる。従って、ドラムカートリッジ１８の出荷・輸送時などにおいて、ドラムフレーム４５が変形することを確実に抑制できる。
【０１６８】
また、このような第４実施形態においても、上記した第１実施形態と同様の作用効果を奏することができる。
８．第５実施形態
次に、本発明の第５実施形態について説明する。
【０１６９】
図７Ａは、本発明の感光体カートリッジの第５実施形態であるドラムカートリッジを左上側から見た斜視図であって、遮光部が遮光位置にある状態を示す。図７Ｂは、図７Ａに示すドラムカートリッジ（遮光部が遮光位置にある状態）における帯電器保持壁および遮光部の中央断面図である。図７Ｃは、図７Ａに示すドラムカートリッジを左上側から見た斜視図であって、遮光板が挿入位置にある状態を示す。図７Ｄは、図７Ｃに示すドラムカートリッジ（遮光部が挿入位置にある状態）における帯電器保持壁および遮光部の中央断面図である。
【０１７０】
図７において、図１および図２に示す各部に対応する部分には、それらの各部と同一の参照符号を付し、その説明を省略する。
【０１７１】
第１実施形態および第２実施形態では、移動部材の一例としてハンドル６５を備え、第３実施形態および第４実施形態では、移動部材の一例としてハンドル１００を備えている。
【０１７２】
これに対して、第５実施形態では、移動部材の一例として遮光部９１を備えている。なお、以下の遮光部９１の説明においては、遮光部９１が、図７Ａおよび図７Ｂに示すように、遮光位置に配置された状態を基準として説明する。
【０１７３】
遮光部９１は、図７Ａに示すように、帯電器保持壁４８の前側に隣接配置されており、左右方向に長手の平面視略矩形状の略平板形状に形成されている。また、遮光部９１には、１対の軸保持部９２と、挿入部９４とが一体的に設けられている。
【０１７４】
１対の軸保持部９２のそれぞれは、遮光部９１の上面における後側部分の左右両端部のそれぞれに設けられており、図７Ｂに示すように、遮光部９１の上面から上方に向かって突出する側面視略Ｕ字状の略平板形状に形成されている。
【０１７５】
また、軸保持部９２の左右方向外側面には、図７Ａに示すように、第１端部の一例としての回動軸９３が一体的に設けられている。回動軸９３は、軸保持部９２の左右方向外側面から左右方向外方に向かって突出する略円柱形状に形成されている。
【０１７６】
挿入部９４は、遮光部９１の上面における前端部に設けられている。挿入部９４は、遮光部９１の上面から上方に向かって突出する側面視略矩形状に形成され、左右方向に延びる突条として形成されている。また、挿入部９４は、その左右方向長さが、帯電開口部５６の左右方向長さと略同じ長さに形成され、その前後方向長さが、帯電開口部５６の前後方向長さと略同じ長さに形成されている。
【０１７７】
そして、遮光部９１は、各回動軸９３が対応するドラム収容部側壁５０に回転可能に支持されることにより、ドラム収容部５７に支持されている。これにより、遮光部９１は、回動軸９３を支点として、図７Ｂに示すように、帯電器保持壁４８から前方に向かって延びるように配置される遮光位置と、図７Ｄに示すように、遮光位置から左側面視反時計回りに回転され、帯電器保持壁４８の上側に配置される挿入位置とに回動可能に構成されている。つまり、遮光部９１は、その前端部が回動軸９３に対して移動可能となるように構成されている。
【０１７８】
遮光部９１が遮光位置に配置された状態において、挿入部９４は、図７Ｂに示すように、帯電開口部５６から離脱されている。また、遮光部９１が遮光位置に配置された状態において、遮光部９１は、図７Ａに示すように、ドラム収容部５７内に設けられる感光ドラム２０を前上側から被覆する。そのため、ドラムカートリッジ１８が本体ケーシング２に装着された状態において、カートリッジ開口部５を介して本体ケーシング２内に侵入する光が、感光ドラム２０の周面に到達することを抑制できる（図１参照）。
【０１７９】
一方、遮光部９１が、挿入位置に配置された状態において、挿入部９４は、図７Ｄに示すように、帯電開口部５６に上側から挿入されている。
【０１８０】
そのため、このような第５実施形態によれば、遮光部９１を挿入位置に配置された状態で、ドラムカートリッジ１８を、出荷・輸送することにより、例え、ドラムフレーム４５に衝撃が加わっても、ドラムフレーム４５が変形すること、ひいては、ドラムフレーム４５に支持されるスコロトロン型帯電器２２が変形することを抑制できる。
【０１８１】
一方、画像形成動作時においては、遮光部９１を遮光位置に配置することにより、スコロトロン型帯電器２２に帯電開口部５６を介して空気を供給することができながら、感光ドラム２０に、本体ケーシング２内に侵入した光が到達することを抑制できる。
【０１８２】
また、挿入部９４の左右方向長さが、帯電開口部５６の左右方向長さと略同じ長さ（略等しく）に形成されているので、遮光部９１が挿入位置に配置された状態において、挿入部９４は帯電開口部５６の全幅にわたって挿入される。
【０１８３】
そのため、ドラムフレーム４５の強度、とりわけ、ドラムフレーム４５における帯電開口部５６の周囲、すなわち帯電器保持壁４８の強度のさらなる向上を図ることができる。
【０１８４】
また、このような第５実施形態においても、上記した第１実施形態と同様の作用効果を奏することができる。
９．第６実施形態
次に、本発明の第６実施形態について説明する。
【０１８５】
図８Ａは、本発明の感光体カートリッジの第６実施形態であるドラムカートリッジを左後側から見た斜視図であって、搬送補助部が搬送補助位置にある状態を示す。図８Ｂは、図８Ａに示すドラムカートリッジ（搬送補助部が搬送補助位置にある状態）におけるドラム収容部の中央断面図である。図８Ｃは、図８Ａに示すドラムカートリッジを左後側から見た斜視図であって、搬送補助板が挿入位置にある状態を示す。図８Ｄは、図８Ｃに示すドラムカートリッジ（搬送補助部が挿入位置にある状態）におけるドラム収容部の中央断面図である。
【０１８６】
図８において、図１および図２に示す各部に対応する部分には、それらの各部と同一の参照符号を付し、その説明を省略する。
【０１８７】
第６実施形態では、移動部材の一例として搬送補助部９５を備えている。なお、以下の搬送補助部９５の説明においては、搬送補助部９５が、図８Ａおよび図８Ｂに示すように、搬送補助位置に配置された状態を基準として説明する。
【０１８８】
搬送補助部９５は、図８Ｂに示すように、帯電器保持壁４８の後側に隣接配置されており、図８Ａに示すように、左右方向に長手の背面視略矩形状の略平板形状に形成されている。また、搬送補助部９５には、第１端部の一例としての１対の回動軸９７と、挿入部９８とが一体的に設けられている。
【０１８９】
１対の回動軸９７のそれぞれは、搬送補助部９５の左右両端面のそれぞれにおける上端部から、左右方向外方に向かって突出する略円柱形状に形成されている。
【０１９０】
挿入部９８は、搬送補助部９５の後面における下端部から、後下方に向かって突出する側面視略矩形状に形成され、左右方向に延びる突条として形成されている。また、挿入部９８は、その左右方向長さが、帯電開口部５６の左右方向長さと略同じ長さに形成されている。
【０１９１】
そして、搬送補助部９５は、各回動軸９７が対応するドラム収容部側壁５０に回転可能に支持されることにより、ドラム収容部５７に支持されている。なお、第６実施形態におけるドラム収容部側壁５０は、その前後上下方向長さが、第１実施形態〜第５実施形態におけるドラム収容部側壁５０の前後上下方向長さよりも長く形成されている。そのため、ドラム収容部側壁５０の後端部は、帯電器保持壁４８よりも後方に向かって突出している。
【０１９２】
これにより、搬送補助部９５は、回動軸９７を支点として、図８Ｂに示すように、上下方向に延びるように配置される第２位置の一例としての搬送補助位置と、図８Ｄに示すように、遮搬送補助位置から左側面視時計回りに回転され、帯電器保持壁４８の上側に配置される挿入位置とに回動可能に構成されている。つまり、搬送補助部９５は、その下端部が回動軸９７に対して移動可能となるように構成されている。
【０１９３】
搬送補助部９５が搬送補助位置に配置された状態において、挿入部９８は、図８Ｂに示すように、帯電開口部５６から離脱されている。また、搬送補助部９５が搬送補助位置に配置された状態において、搬送補助部９５は、感光ドラム２０と転写ローラ２１との間を通過し、排紙開口５５を通過した用紙Ｓの搬送をガイドする。とりわけ、用紙Ｓが、図１に点線で示す通常の搬送軌跡よりも、前上側に向かって搬送されてしまった場合に、搬送補助部９５が、用紙Ｓを通常の搬送軌跡に向かってガイドする。そのため、用紙Ｓが詰まってしまうことを抑制できる。
【０１９４】
一方、搬送補助部９５が、挿入位置に配置された状態において、挿入部９８は、図８Ｄに示すように、帯電開口部５６に上側から挿入されている。
【０１９５】
そのため、このような第６実施形態によれば、搬送補助部９５を挿入位置に配置した状態で、ドラムカートリッジ１８を、出荷・輸送することにより、例え、ドラムフレーム４５に衝撃が加わっても、ドラムフレーム４５が変形すること、ひいては、ドラムフレーム４５に支持されるスコロトロン型帯電器２２が変形することを抑制できる。
【０１９６】
一方、画像形成動作時においては、搬送補助部９５を搬送補助位置に配置することにより、スコロトロン型帯電器２２に帯電開口部５６を介して空気を供給することができながら、用紙Ｓが詰まってしまうことを抑制できる。
【０１９７】
また、このような第６実施形態においても、上記した第１実施形態と同様の作用効果を奏することができる。
１０．第７実施形態
次に、本発明の第７実施形態について説明する。
【０１９８】
図９Ａは、本発明の感光体カートリッジの第７実施形態であるドラムカートリッジを左上側から見た斜視図であって、ドラムカバーが装着位置にある状態を示す。図９Ｂは、図９Ａに示すドラムカートリッジ（ドラムカバーが装着位置にある状態）におけるドラム収容部およびドラムカバーの中央断面図である。図９Ｃは、図９Ａに示すドラムカートリッジ（ドラムカバーが係合位置にある状態）におけるドラム収容部およびドラムカバーの中央断面図である。
【０１９９】
図９において、図１および図２に示す各部に対応する部分には、それらの各部と同一の参照符号を付し、その説明を省略する。
【０２００】
第７実施形態では、移動部材の一例としてのドラムカバー１１０を備えている。なお、以下のドラムカバー１１０の説明においては、ドラムカバー１１０が、図９Ａおよび図９Ｂに示す装着位置に配置された状態を基準として説明する。
【０２０１】
ドラムカバー１１０は、ドラムカートリッジ１８の後端部、具体的には、ドラム収容部５７の後端部に着脱自在に装着されている。
【０２０２】
ドラムカバー１１０は、図９Ｂに示すように、樹脂材料などの高分子材料から形成されており、後方に向かう頂部を有する楔状に形成され、左右方向に延びる略平板形状に形成されている。また、ドラムカバー１１０の下端部は、第１端部の一例としての鉤状部１１３として形成されている。鉤状部１１３は、前上方に向かって屈曲する断面鉤状に形成されている。
【０２０３】
また、ドラムカバー１１０には、第２端部の一例としての延設部１１４が一体的に設けられている。
【０２０４】
延設部１１４は、ドラムカバー１１０の上端部から連続して、前方に向かって突出する略平板形状に形成されている。また、延設部１１４には、その下面において、挿入部１１５が一体的に設けられている、
挿入部１１５は、延設部１１４の下面における前端部から、下方に向かって突出する側面視略矩形状に形成され、左右方向に延びる突条として形成されている。また、挿入部１１５の左右方向長さは、帯電開口部５６の左右方向長さと略同じ長さに形成され、その前後方向長さは、帯電開口部５６の前後方向長さと略同じ長さに形成されている。
【０２０５】
また、第７実施形態において、ドラムフレーム４５の後壁４９には、鉤状部１１３に対応する突部１１２が一体的に設けられている。突部１１２は、後壁４９の後面における下端部から、後下方に向かって突出する側面視略矩形状に形成され、左右方向に延びる突条として形成されている。
【０２０６】
そして、ドラムカバー１１０は、図９Ａおよび図９Ｂに示すように、ドラムカートリッジ１８に装着される装着位置と、図９Ｃに示すように、鉤状部１１３と突部１１２とが係合するとともに、挿入部１１５が帯電開口部５６から離脱される係合位置と、図示しないが、ドラムカートリッジ１８から離脱される離脱位置とに移動可能に構成されている。
【０２０７】
次に、ドラムカバー１１０のドラムカートリッジ１８に対する着脱動作について説明する。
【０２０８】
ドラムカバー１１０をドラムカートリッジ１８に装着するには、まず、図９Ｃに示すように、ドラムカバー１１０の鉤状部１１３を、後壁４９の突部１１２に下側から引っ掛ける。これにより、ドラムカバー１１０は、係合位置に配置される。
【０２０９】
次いで、ドラムカバー１１０を、鉤状部１１３と突部１１２との係合部分を支点として、左側面視時計回りに回動させる。そうすると、挿入部１１５が帯電器保持壁４８の上壁と当接し、ドラムカバー１１０が、挿入部１１５の突出分だけ、挿入部１１５と鉤状部１１３とを上下方向に離間させるように、弾性変形される。
【０２１０】
さらに、ドラムカバー１１０を左側面視時計回りに回動させると、挿入部１１５と帯電開口部５６とが上下方向に対向し、ドラムカバー１１０が復元して、挿入部１１５が帯電開口部５６に挿通される。これにより、ドラムカバー１１０が係合位置から装着位置に移動される。ドラムカバー１１０が装着位置に配置された状態において、感光ドラム２０は、ドラムカバー１１０により後側から被覆される。
【０２１１】
また、ドラムカバー１１０をドラムカートリッジ１８から離脱させるには、上記のドラムカバー１１０の装着動作と逆の手順に操作する。
【０２１２】
具体的には、鉤状部１１３と突部１１２との係合部分を支点として、装着位置にあるドラムカバー１１０を左側面視反時計回りに回転させる。そうすると、ドラムカバー１１０は、挿入部１１５が帯電開口部５６から離脱され、係合位置に配置される。つまり、ドラムカバー１１０は、鉤状部１１３が突部１１２に支持された状態において、係合位置と、装着位置とに移動するように構成されている。また、ドラムカバー１１０は、延設部１１４が鉤状部１１３に対して移動可能となるように構成されている。
【０２１３】
次いで、鉤状部１１３と突部１１２との係合が解除されるように、ドラムカバー１１０を後方に向かって移動させる。これにより、ドラムカバー１１０は、係合位置から離脱位置に移動される。
【０２１４】
このような第７実施形態によれば、ドラムカバー１１０を装着位置に配置した状態で、ドラムカートリッジ１８を、出荷・輸送することにより、例え、ドラムフレーム４５に衝撃が加わっても、ドラムフレーム４５が変形すること、ひいては、ドラムフレーム４５に支持されるスコロトロン型帯電器２２が変形することを抑制できる。また、ドラムカバー１１０が装着位置に配置された状態では、感光ドラム２０がドラムカバー１１０により後側から被覆されているので、感光ドラム２０が排紙開口５５を介して外部の部材と接触することを抑制できる。そのため、ドラムカートリッジ１８の出荷・輸送時において、感光ドラム２０の周面が傷つくことを抑制できる。
【０２１５】
一方、画像形成動作時においては、ドラムカバー１１０を係合位置または離脱位置に配置することにより、スコロトロン型帯電器２２に帯電開口部５６を介して空気を供給することができる。
【０２１６】
また、このような第７実施形態においても、上記した第１実施形態と同様の作用効果を奏することができる。
１１．第８実施形態
次に、本発明の第８実施形態について説明する。
【０２１７】
図１０は、本発明の感光体カートリッジの第８実施形態であるドラムカートリッジの中央断面であって、ハンドルが傾倒位置にある状態を示す。
【０２１８】
図１０において、図１〜図３に示す各部に対応する部分には、それらの各部と同一の参照符号を付し、その説明を省略する。
【０２１９】
第８実施形態において、ドラムカートリッジ１８は、ハンドル６５の揺動を規制するストッパ１２０を備えている。
【０２２０】
ストッパ１２０は、図１０に示すように、カートリッジ収容部５８に設けられており、１対の連結部６８のそれぞれに対応して、左右方向に間隔を隔てて２つ配置されている。また、ストッパ１２０は、カートリッジ収容部５８に装着される現像カートリッジ１９の着脱の邪魔にならないように配置されている。
【０２２１】
詳しくは、ストッパ１２０は、底壁４７の上面における前端部から上方に向かって突出する側面視略矩形状に形成され、対応する連結部６８の下端部に対して前側に配置されている。また、ストッパ１２０の上面は、後方に向かうに従って上方に傾斜するように形成されている。
【０２２２】
そして、ストッパ１２０は、ハンドル６５が傾倒位置に配置された状態において、その上面が対応する連結部６８の下端部に後下側から当接し、ハンドル６５の左側面視反時計方向の揺動を規制する。
【０２２３】
そのため、ハンドル６５の挿入部７１が、必要以上に下方に向かって進出し、帯電器保持壁４８内の放電ワイヤ２３に接触することを抑制できる。その結果、放電ワイヤ２３に負荷がかかることを抑制できる。
【０２２４】
また、このような第８実施形態においても、上記した第１実施形態と同様の作用効果を奏することができる。
【０２２５】
なお、これら第１実施形態〜第８実施形態のそれぞれは、適宜組み合わせることができる。
【符号の説明】
【０２２６】
１      プリンタ
２      本体ケーシング
１５    プロセスカートリッジ
１８    ドラムカートリッジ
１９    現像カートリッジ
２０    感光ドラム
２２    スコロトロン型帯電器
２３    放電ワイヤ
４５    ドラムフレーム
６０    クリーニング部材
６５    ハンドル
６６    軸部
６９    把持部分
７１    挿入部
７５    本体部
８３    把持部分
８５    挿入部
８９    把持部分
９１    遮光部
９５    搬送補助部
９７    回動軸
１００  ハンドル
１１０  ドラムカバー
１１３  鉤状部
１１４  延設部
１１５  挿入部
【図１】
2014157341.tif 000003
【図２】
2014157341.tif 000004
【図３】
2014157341.tif 000005
【図４】
2014157341.tif 000006
【図５】
2014157341.tif 000007
【図６】
2014157341.tif 000008
【図７】
2014157341.tif 000009
【図８】
2014157341.tif 000010
【図９】
2014157341.tif 000011
【図１０】
2014157341.tif 000012